(57)【特許請求の範囲】
【請求項１】
物質（Ｐ）、特に化粧品またはケア製品を収容且つ供給する装置（１）であり、装置が物質を収容する容器（２）を備え、前記容器が頂部に、物質透過性で且つ、容器から出た物質を送る内面（４１）を有したアプリケータ（３０）を備え、
アプリケータ（３０）の底面（４１）の近くに、容器と永久連結し且つ、装置がヘッドアップ位置からひっくり返った位置に向かせて、そしてヘッドアップ位置に戻した時、一定量の物質を保持するのに適した、中間リザーバ（１５）を形成する要素を備え、また前記中間リザーバ形成要素（１５）が、この方法で保持された物質を、少なくとも装置を使用する状態で、アプリケータに送ることができるように配置されることを特徴とする装置。
【請求項２】
リザーバ形成要素（１５）及びアプリケータ（３０）は、使用の際に、充分な圧力がアプリケータに加わる時、アプリケータが中間リザーバ形成要素（１５）によって保持される物質（Ｐ）と、接触するように配置されることを特徴とする請求項１に記載の装置。
【請求項３】
アプリケータ（３０）が、連続気泡、弾性変形、多孔性材料から作られることを特徴とする請求項１または２に記載の装置。
【請求項４】
中間リザーバ形成要素が、アプリケータの方向に凹状のカップ（４５）を具備することを特徴とする請求項１〜３のいずれか一項に記載の装置。
【請求項５】
中間リザーバ形成要素（１５）は、装置を最初のヘッドアップ位置から垂直方向に対して傾かせる時、中間リザーバ形成要素によって保持された物質が、容器の底部に戻るのを防ぐ傾向がある仕切り（４７、４８）を具備することを特徴とする請求項１〜４のいずれか一項に記載の装置。
【請求項６】
前記仕切り（４７、４８）が容器（２）と同じ軸線（Ｘ）の周囲で円筒状であることを特徴とする請求項５に記載の装置。
【請求項７】
中間リザーバ形成要素が、複数の仕切り（４７、４８）を有し、仕切りはその間に物質を流す間隙を備えることを特徴とする請求項１〜６のいずれか一項に記載の装置。
【請求項８】
ドーム形の外面（４０）を有し、内面（４１）が凹部を画定し、その中に中間リザーバ形成要素（１５）が、少なくとも部分的に、組み込まれることを特徴とする請求項１〜７のいずれか一項に記載の装置。
【請求項９】
アプリケータ（３０）が、その周縁部で、非多孔性材料から作られた支持部材（３１）に固定されることを特徴とする請求項１〜８のいずれか一項に記載の装置。
【請求項１０】
容器が、底部本体（３）と、閉鎖キャップを受けるトップ部分（４）を有し、前記トップ（４）部材が、本体（３）に取り付けられる部材によって構成されることを特徴とする請求項１〜９いずれか一項に記載の装置。
【請求項１１】
容器（２）のトップ部材（４）が、スナップ留めによってアプリケータの支持部材（３１）と共働のに適切な固定手段（１９、２０）を具備することを特徴とする請求項９または１０に記載の装置。
【請求項１２】
アプリケータ（３１）の支持部材が、径方向に向かい合って、配置されて二つの留めタブ（３４）を有しており、タブを内側へ押すと、アプリケータ（３０）を容器（２）から分離させることが可能で、例えばそれを清掃するかまたは、交換することができるように、配置されることを特徴とする請求項１１に記載の装置。
【請求項１３】
底部本体（３）が、剛性プラスチック材料から作られることを特徴とする請求項１０〜１２のいずれか一項に記載の装置。
【請求項１４】
容器のトップ部分（４）が、ネック（７）を有しており、その上に閉鎖キャップ（８）がねじこまれることを特徴とする請求項１０〜１３のいずれか一項に記載の装置。
【請求項１５】
中間リザーバ形成要素（１５）と、容器（４）のトップ部分の残りの部分が、単一部材として作られることを特徴とする請求項１０〜１４のいずれか一項に記載の装置。。
【請求項１６】
中間リザーバ形成要素（１５）が、横管路を有する孔開き壁（２３）によって支持されており、容器がひっくり返される時、横管路（２４）が、容器（Ｐ）に収容された物質を、中間リザーバ形成要素とアプリケータの底面との間に配置する空間（５０）に、到達させることを特徴とする請求項１〜１５のいずれか一項に記載の装置。
【請求項１７】
孔開き壁（２３）が、突出縁部を形成しない中間リザーバ形成要素に接続されることを特徴とする請求項１６に記載の装置。
【請求項１８】
中間リザーバ形成要素（１５）と直接合わさるアプリケータの底面（４１）の領域（４２）が、平面状あるいは前記要素の向きに凸状であることを特徴とする請求項１〜１７のいずれか一項に記載の装置。
【請求項１９】
アプリケータ（３０´）が実質的に、中間リザーバ形成要素の全内部容積を占めており、前記内部容積は、中間リザーバ形成要素によって保持される物質が蓄積できる容積であることを特徴とする請求項１〜１８のいずれか一項に記載の装置。
【請求項２０】
容器（２）が、液体を収容することを特徴とする請求項１〜１９のいずれか一項に記載の装置。
【請求項２１】
リザーバ形成要素が、剛性壁（４５）を有することを特徴とする請求項１〜２０のいずれか一項に記載の装置。
【発明の詳細な説明】
【０００１】
【発明が属する技術分野】
本発明は物質、特に化粧品またはケア製品を収容且つ供給する装置に関するものであり、装置が物質を入れる容器を備え、前記容器が頂部に、物質を浸透し、且つ容器から出る物質を供給する内面部を有した、アプリケータを備える。
【０００２】
【従来の技術】
この型式の装置は、多数知られている。
【０００３】
使用時には、容器に収容されている物質が、アプリケータの内面に到達し、アプリケータを構成する材料を介して、その外面に向かって移動し、ユーザーの肌に接触する。
【０００４】
容器が可撓性壁を有してれば、ユーザーが容器壁を圧迫することによって、アプリケータに供給できる
【０００５】
【発明が解決しようとする課題】
しかし、容器が剛性壁を有している時、どの位長く装置をヘッドアップ位置で使用し続けることができるかという問題に、ユーザーが直面する。また装置を水平にして使用して、容器に少量の物質が残っている時も、同様に問題である。
【０００６】
加えて、物質を塗る際に、アプリケータを介してもたらされるその濃度にも問題があり得る。
【０００７】
【課題を解決するための手段】
従って、より長い間、更に快適に使用できる装置が必要となる。
【０００８】
【本発明の実施の形態】
本発明による新規の収容且つ供給装置は、アプリケータの底面の付近に、容器と永久連結し、装置がヘッドアップ位置からひっくり返された時、そしてヘッドアップ位置に戻された特に、一定量の物質を保持するのに適した、中間リザーバを形成する要素を備え、また前記中間リザーバを形成する要素は、この方法で保持された物質を、少なくとも装置が使用できる状態で、アプリケータに供給することができるように配置される。
【０００９】
本発明によって、装置は、容器をひっくり返すことによって、アプリケータを再充填する必要なく、長くヘッドアップ位置で、使用し続けることができる。
【００１０】
加えて、装置が水平位置でまたは実質的な水平位置にあって、容器内の物質の量が、アプリケータへ直接到達するには不充分である間、中間リザーバ形成要素がアプリケータに供給することができる。
【００１１】
有利には、中間形成要素とアプリケータは、使用時に、充分な圧力がアプリケータに加えられると、アプリケータが中間リザーバ形成要素によって保持される物質に接触するように配置される。
【００１２】
またアプリケータを介する物質の通過は、中間リザーバ形成要素を、アプリケータが中間リザーバ形成要素に対して押された時に、中間リザーバ形成要素に収容される物質が、アプリケーターによって圧縮されるような形状にして、アプリケータに物質を通すことによって、増すことができる。
【００１３】
有利には、アプリケータが連続気泡、弾性変形、多孔性材料、例えば気泡体または発泡体から作られる。
【００１４】
特別な実施例において、中間リザーバ形成要素が、アプリケータの方向に凹状のカップを具備して、装置がひっくり返えし、そしてヘッドアップ位置に戻す時、一定量の物質を保持する。
【００１５】
また、特に実施例において、中間リザーバ形成要素は、装置を最初のヘッドアップ位置から垂直方向に関して傾かせる時、中間リザーバ形成要素によって保持された物質が、容器の底部に戻るのを防ぐ傾向がある仕切りを具備する。
【００１６】
有利には前記仕切りが、容器と同じ軸線の周囲で、円筒状をしている。
【００１７】
変形例において、複数の仕切りが、その間に物質を流す間隙を備える。
【００１８】
中間リザーバ形成要素における物質の分配は、従ってより均等に行うことができる。
【００１９】
特別な実施例では、アプリケータがドーム形の外面を有し、内面が凹部を画定し、そこに中間リザーバ形成要素を、少なくとも部分的に組み込む。
【００２０】
従って、使用時に、アプリケータの面を少し変形させることによって、空間リザーブ形成要素に保持された物質をアプリケータに接触させる。
【００２１】
特別な実施例において、アプリケータがその周縁部で、非多孔材料、例えば半剛性プラスチック材料から作られる支持部材に固定される。
【００２２】
この支持部材が、アプリケーターの組立てと、ここで適切な交換を容易にする。
【００２３】
特別な実施例において、容器は底部本体と、閉鎖キャップを受けるトップ部分を有し、前記トップ部材が、本体に取り付けられる部材によって構成される。
【００２４】
底部本体が好ましくは、外観上の理由から剛性プラスチック材料から作られる。
【００２５】
特別な実施例において、容器のトップ部分は、ネックを有しており、その上に閉鎖キャップがねじこまれる。
【００２６】
また特別な実施例において、容器のトップ部分が、スナップ留めによってアプリケータの支持部材と共働するために、適切な固定手段を具備する。
【００２７】
有利には、アプリケータの支持部材が、径方向に向かい合って、配置されて二つの留めタブを有しており、タブを内側へ押すと、アプリケータを容器から分離させることが可能で、例えばそれを清掃するかまたは、交換することができるように、配置される。
【００２８】
有利には、中間リザーバ形成要素と、容器のトップ部分の残りの部分が、プラスチック材料で成形することによって、単一部材として作られる。
【００２９】
特別な実施例において、中間リザーバ形成要素が、横管路を有する孔開き壁によって支持されており、容器がひっくり返される時、横管路が、容器に収容された物質を、中間リザーバ形成要素とアプリケータの底面との間に配置する空間に、到達させる。
【００３０】
有利には、上記孔開き壁が、突出縁部を形成しない、中間リザーバ形成要素に接続される。
【００３１】
これによって、アプリケータが使用の際に、中間リザーバ形成要素に対して押される時、損傷するリスクが減る。
【００３２】
中間リザーバ形成要素と直接合わさるアプリケータの底面の範囲が、平面状あるいは前記要素の向きに凸状であってもよく、アプリケータと、中間リザーバ形成要素に保持された物質との間に接触することを、容易にしている。
【００３３】
変形の実施例において、アプリケータが実質的に、中間リザーバ形成要素の全内部容積を占めており、前記内部容積は、中間リザーバ形成要素によって保持される物質が蓄積できる容積である。
【００３４】
特別な実施例において、リザーバ形成要素が剛性壁を有する。
【００３５】
また本発明は、化粧品またはケア製品によって構成される物質を人体に供給する、上記で定義されたような収容且つ供給装置の使用法である。
【００３６】
【実施例】
本発明は、以下の制限のない実施例の詳細な説明を読み、添付図面を考察することによって、より明確に理解されるであろう。
【００３７】
図面に示されている収容且つ供給装置１は、底部本体３とトップ部分４と共に組み合わせて作られた容器２を備え、低部本体とトップ部材の両方は、剛性プラスチック材料から作られている。
【００３８】
底部本体３は、軸線Ｘの周囲で円筒状で且つ、軸線Ｘの周囲をネック５によって上方に延び且つ、外側に環状ビード６を備える、側壁を有している。
【００３９】
トップ部分４は、閉鎖キャップ８を受容する外ネジ付ネック７を有している。
【００４０】
ネック７は、環状ビード６の下にスナップ留めされる形状をした固定タブ９によって、下方へ延びている。
【００４１】
またトップ部分４は、固定タブ９を取り囲み且つ、本体３の側壁と一列に配置した外側スカート１０と、ネック５の放射状内面１３に対し押して漏れ防止する環状シールリップ１１とを有している。
【００４２】
また容器のトップ部分４は、放射状内向きに延び、通常、軸線Ｘに対して垂直で、要素１５のための支持部として作用するステップ付壁１４を有しており、要素は中間リザーバを形成しており、その機能を下記で詳細に説明する。
【００４３】
ステップ付壁１４は、ネジ付ネック７のベースに取り付けられ且つ、軸線Ｘの周囲で円形対称的な、組立スカート１９のための支持部として作用する第一環状部分１７を有しており、前記組立スカート１９が、その放射状内スカートに、その頂端部の近くで、環状溝２０を備えている。
【００４４】
第一環状部分１７が、軸線Ｘと平行に延びる第二環状部分２１によって内方向へ延び、第二環状部分が第一環状部分１７に接続して、環状溝６０を形成し、その後、軸線Ｘと直角に延びる。
【００４５】
中間リザーバ形成要素１５は、開口部２４を備えた曲壁２３を介して第二環状部分２１に接続されており、その様な開口部は一例として四個示され、それらの開口部２４は、軸線Ｘの周囲に規則的に分配されている。
【００４６】
容器２が、化粧品またはケア製品Ｐのような物質で充填されている。
【００４７】
閉鎖キャプ８が、ネック７の放射状内面に対し、図１のように、押して漏れ防止する環状シールリップ２６を有している。
【００４８】
収容且つ供給装置１は、連続発泡プラスチック材料の多孔材料より作られている。
【００４９】
アプリケータ３０は、その周縁部を介して、剛性または半剛性プラスチック材料から作られた環状支持部材３１に、固定されている。
【００５０】
この支持部材３１は、ステップ付壁の第二環状部分２１に対し当接する、ベース壁３２を有している。
【００５１】
ベース壁３２は、その外縁部で、第一に下方へ延び且つ、環状溝２０の下の組立スカート１９の放射状内面に対し、当接して漏れ防止する環状シールリップ３３に接続され、第二に上方へ延び且つ、環状シールリップ３３に延び、径方向に向かい合った二つの固定タブ３４に接続されている。
【００５２】
各固定タブ３４は、組立スカート１９の環状溝２０にスナップ留めする突出部３５を有している。
【００５３】
実施例において、アプリケータ３０がベース壁３２上に直接載るのではなく、その底端縁部を介して、ベース壁３２から上方へ突出する環状リブ３７に固定されている。ベース壁は通常の手段、例えば熱シールまたは接着剤によって、リブ３７に固定される。
【００５４】
静止状態で、アプリケーター３０は、ドーム形の外面４０と、内面４２を有しており、その内面は、軸線Ｘ上で直接、中間リザーバ形成要素１５に面し、その面が平らで、軸線Ｘに対して直角な中心領域４２及び、円形で容器の方向に凹状で且つ、曲壁２３よりも曲がり半径が大きな内面４１を具備している。
【００５５】
中間リザーバ形成要素１５は、アプリケータ３０の方向に凹状のカップ４５を有しており、このカップ４５は、その周縁部５５を介して、突出縁部を形成することなく、曲壁２３に接続されており、実施例で説明するような、軸線Ｘの周囲で円筒状の二つの仕切り４７及び４８を支持している。
【００５６】
仕切り４７及び４８の高さは、それらの頂端部が実質的に、カップ４５の周縁端部５５と同じ平面に配置しており、前記平面が軸線Ｘに対して直角に延びている。
【００５７】
記載の実施例において、容器４のトップ部分を構成する全ての要素は、プラスチック材料の成形によって、単一部材として作られている。
【００５８】
装置１は、以下の様に使用される。
【００５９】
閉鎖キャップ６を取り外して、ユーザーが図２に示されているように、容器２をヘッドダウン位置に向け、アプリケータ３０を物質Ｐで湿らせる。
【００６０】
開口部２４を介して通り、物質Ｐが中間リザーバ形成要素１５と、アプリケータの内面４１との間に延びる空間５０に貫入し、物質がそこから外面４０の方向へ、毛細管及び／または重力により、アプリケータ３０を構成する有孔材料を介して広がる。
【００６１】
容器２が図３に示されたようなヘッドアップ位置に戻すと、物質Ｐが、中間リザーバ形成要素１５によって保持される物質の量を除いて、容器の本体３の底部に戻る。
【００６２】
仕切り４７及び４８は、中間リザーバ形成要素１５における物質の保持に関係する。
【００６３】
中間リザーバ形成要素に保持される物質の容積は0.5立方センチメートル（cm３）から3cm３の範囲内である。
【００６４】
そして物質で湿らされたアプリケータ２０は、図４に示されているように、肌Ｓに対して軸線Ｘで配置され、そして様々な向き、特に水平またはほぼ水平な向きにすることができる。
【００６５】
容器３０内の物質Ｐは、装置１を移動させることによって、肌Ｓにためられる。
【００６６】
使用の際、アプリケータ３０によって圧力を肌Ｓに掛けると、アプリケータを変形し、その内面４２を図４に示されたように、中間リザーバ形成要素１５と接触させる効力がある。
【００６７】
結果的に、中間リザーバ形成要素１５によって保持される物質Ｐは、毛細管及び／または重力によって、アプリケータ３０に広がることができ、それによって長く使用できるようにしている。
【００６８】
また、中間リザーバ形成要素１５が、アプリケータ３０の内面４１によって画定されたセットバックに、実用的に完全に組み合わされているので、その際アプリケータ３０を押して、その内面４１をカップ４５の周縁部５５と接触させるには、小さな力で充分であり、それによってカップ４５に保持される物質が、開口部２４を介して漏れ出ること及び、容器２の底部へ戻ることを防止することは明らかである。
【００６９】
従って、物質は、アプリケータ３０に広げられる。
【００７０】
内面４１を仕切り４７及び４８に対して当接させることにより、類似の方法で、物質Ｐを容器の底部に戻すよりも、容器３０へ流すように作用する。
【００７１】
図４を見ると、アプリケータ３０における内面４１の周縁領域４３での曲がりの半径は、アプリケータ３０が仕切り４７及び４８とカップ４５の周縁部５５に対して当接すると、周縁領域４３が曲線壁２３に対し実質的に平行に延びるようになることは明らかである。
【００７２】
また図４を見ると、物質のレベルＮが、物質を開口部２４を介して直接、アプリケータ３０に供給できるようになるには非常に低い時、中間リザーバ形成要素１５が、カップ４５の内部に保持された物質によって、アプリケータ３０を供給することができる。
【００７３】
図５は、ヘッドアップ位置で使用される容器２と、殆ど完全に充填された中間リザーバ形成要素１５とを示している。
【００７４】
この図面を見ると、本発明はアプリケータ３０が、アプリケータを押した状態で使用可能な間の時間の長さを増すことができ、それを肌Ｓにつける時、底面４１が中間リザーバ形成要素１５に保持されている物質と接触できる。従ってアプリケータ３０に、毛細状で送り込まれる。
【００７５】
加えて、中間リザーバ形成要素１５における物質の量が充分である時、そしてプリケータ３０が仕切り２７と仕切り４８との間に入り込む時、中間リザーバ形成要素に入っている物質Ｐを加圧し、それによって物質をアプリケータ３０に放出する傾向がある。
【００７６】
アプリケータは、固定タブ４３を内向きに変形させることによって、容器２のトップ部分４から容易に分離させることができ、それによって突出部３５を組立スカート１９の環状溝２０から解放させることができる。
【００７７】
当然、本発明は上記実施例に限定されることはない。
【００７８】
図６は、別の実施例を示しており、上記の装置と異り、中間リザーバ形成要素１５が、もはや仕切り４７及び仕切り４８を有していない中間リザーバ形成要素１５´に替えられている。
【００７９】
その装置は、同一の結果を提供する。
【００８０】
仕切り４７及び仕切り４８がないことで、アプリケータを使用時に、更に中間リザーバ形成要素１５´を押し込むことができる。
【００８１】
図７は、変形例を示しており、仕切り４７及び仕切り４８は、仕切り４７´及び４８´に取り替えられており、仕切り４７´及び仕切り４８´は、物質を仕切り４７´及び仕切り４８´によって形成されたリングの間を循環させる間隙６２を配置している。これにより物質を中間リザーバ形成要素において、より均一に分配させる。
【００８２】
仕切り４７´及び４８´は当接面を構成しており、装置が使用時に、アプリケータをその面に当接させる。
【００８３】
図８に示された装置は、図６に示されたものとは異なって、アプリケータ３０が、中心部分６４を有するアプリケータ３０´に取り替えられており、中心部分６４は中間形成要素１５´の凹形形状に適合する。
【００８４】
言い換えると、アプリケータ３０´を構成する多孔性材料は、中間リザーバ形成要素１５´の全内部容積を占めている。
【００８５】
物質は、アプリケータ３０´を構成する多孔性材料内の中間リザーバ形成要素１５´の内部に蓄積する。
【００８６】
図示されていない変形例において、またアプリケータを、より充分に使用するようにコーティング、例えばフロック加工することができる。
【００８７】
アプリケータを作るため、毛細管及び／または重力によって、物質をアプリケータを通過させるために配置される、いかなる材料も使用することができる。
【００８８】
中間リザーバ形成要素が、示されたものと異なる形状または構造にすることができる。
【図面の簡単な説明】
【図１】本発明による収容且つ供給装置の概略的な軸線方向断面
【図２】閉鎖キャップを取った後の図１の装置を示しており、容器がアプリケータを湿らすため、ひっくり返された図
【図３】容器を傾けた時、どのように物質が中間リザーバ形成要素によって保持されるかを示した図
【図４】確実な使用状態にある装置を示した図
【図５】確実な使用状態にある装置を示した図
【図６】変形実施例を示した図５と類似の図
【図７】中間リザーバ形成要素の変形実施例の上視図
【図８】別の変形実施例に関する図５と類似の図
【符号の説明】
１    収容且つ供給装置
２    容器
３    底部分
４    トップ部分
５    ネック
６    環状ヘッド
７    ネジ付ネック
８    閉鎖キャップ
９    固定タブ
１０  外側スカート
１１  環状シールリップ
１３  内面
１４  ステップ付壁
１５  要素／リザーバ
１６  第一環状部分
１７  組立スカート
１８
１９  組立スカート
２０  環状溝
２１  第二環状部分
２３  壁
２４  開口部
２６  環状シールリップ
３０  アプリケータ
３１  環状支持部材
３２  ベース壁
３３  環状シールリップ
３４  固定タブ
３５  突出部
３７  環状リブ
４０  外面
４１  内面／底面
４２  中心領域
４３  周縁領域
４５  カップ／剛性壁
４７  仕切り
４７´仕切り
４８  仕切り
４８´仕切り
５０  空間
５５  周縁部
６０  環状溝
６２  間隙
Ｐ    ケア製品／物質
Ｘ    軸線
【図１】
0003656035.tif 000002
【図２】
0003656035.tif 000003
【図３】
0003656035.tif 000004
【図４】
0003656035.tif 000005
【図５】
0003656035.tif 000006
【図６】
0003656035.tif 000007
【図７】
0003656035.tif 000008
【図８】
0003656035.tif 000009